【手続補正書】
【提出日】平成19年8月23日(2007.8.23)
【手続補正１】
【補正対象書類名】明細書
【補正対象項目名】特許請求の範囲
【補正方法】変更
【補正の内容】
【特許請求の範囲】
【請求項１】
ａ）２５℃より高い融点及び１００ＭＰａ未満の（ＡＳＴＭ  Ｄ−７９０で測定される）曲げ弾性率を有する主要割合のオレフィン系モノマーと小割合のオレフィン系モノマーとの半結晶性コポリマー成分であって、前記主要割合のオレフィン系モノマーはエチレン又はプロピレンであり、そして前記小割合のオレフィン系モノマーは前記主要割合のオレフィン系モノマーとは異なり、そして挿入重合可能な、線状、分岐した、又は環含有のＣ２乃至Ｃ３０オレフィン、及びそれら組み合わせから成る群から選択される、半結晶性コポリマー成分、及び
ｂ）２００ＭＰａより大きい（ＡＳＴＭ  Ｄ−７９０で測定される）曲げ弾性率を有するポリスチレン成分のブレンドを含む冷延伸フィルムであって、
前記コポリマーが前記フィルム中に連続相として存在し、そして前記フィルムが１６０ＭＰａ未満の（ＡＳＴＭ  Ｄ−１７０８で測定される）引張弾性率を有する、冷延伸フィルム。
【請求項２】
前記主要割合のオレフィン系モノマーがエチレンであり、そして前記コポリマー中に８４モル％以上かつ９８モル％以下の量で存在する、請求項１のフィルム。
【請求項３】
前記コポリマーが１．５乃至４．０のＭＷＤ及び狭い組成分布を有する、請求項２のフィルム。
【請求項４】
前記主要割合のオレフィン系モノマーがプロピレンであり、そして前記コポリマー中に４９モル％以上かつ９０モル％以下の量で存在する、請求項１のフィルム。
【請求項５】
前記コポリマーが５乃至４０重量％の結晶度を含む、請求項４のフィルム。
【請求項６】
前記小割合のオレフィン系モノマーが、エチレン及びα−オレフィンから選択される１種以上である、請求項１のフィルム。
【請求項７】
前記小割合のα−オレフィンが、エチレン、プロピレン、１−ブテン、１−ヘキセン、４−メチル−１−ペンテン、３−メチル−１−ペンテン、３，５，５−トリメチル−１−ヘキセン、及び１−オクテンから成る群から選択される、請求項６のフィルム。
【請求項８】
ブレンド成分の総重量に基づいて３０乃至９０重量％の前記コポリマー成分及び７０乃至１０重量％の前記ポリスチレン成分を含む、請求項１のフィルム。
【請求項９】
染料、顔料、充填剤、ワックス、可塑剤、酸化防止剤、熱安定剤、光安定剤、粘着防止剤、加工助剤、及びそれらの組み合わせから成る群から選択される１種以上の添加剤をさらに含む、請求項１のフィルム。
【請求項１０】
前記フィルムが実質的に充填剤を含まず、そしてどちらか一方の成分単独よりも大きい透湿度を有する、請求項１のフィルム。
【請求項１１】
ａ） ｉ）各々が４９乃至９０モル％のプロピレン及び少なくとも１種のエチレン又はＣ４乃至Ｃ２０α−オレフィンを含む１種以上の熱可塑性コポリマーであって、前記熱可塑性コポリマーが、２５℃以上の融点、１．５乃至４．０のＭＷＤ、５乃至４０重量％の結晶度、及び１００ＭＰａ未満の（ＡＳＴＭ  Ｄ−７９０で測定される）曲げ弾性率を有する、１種以上の熱可塑性コポリマー、 ｉｉ） 各々が８４乃至９８モル％のエチレン及び少なくとも１種のＣ３乃至Ｃ２０α−オレフィンを含む１種以上の熱可塑性コポリマーであって、前記熱可塑性コポリマーが、２５℃以上の融点、１．５乃至４．０のＭＷＤ、狭い組成分布、及び１００ＭＰａ未満の（ＡＳＴＭ  Ｄ−７９０で測定される）曲げ弾性率を有する、１種以上の熱可塑性コポリマー、及び ｉｉｉ） ｉ）とｉｉ）のブレンド、から選択される第１のポリマー成分、及びｂ）２００ＭＰａより大きい（ＡＳＴＭ  Ｄ−７９０で測定される）曲げ弾性率を有するポリスチレン成分のブレンドを含む冷延伸フィルムであって、前記フィルムが、１６０ＭＰａ未満の（ＡＳＴＭ  Ｄ−１７０８で測定される）引張弾性率及び少なくとも１００ｇ−ミル／ｍ２−日の透湿度を有する、フィルム。
【請求項１２】
前記フィルムが実質的に充填剤を含まない、請求項１１のフィルム。
【請求項１３】
２種の非相溶性ポリマー成分のブレンドから形成されたフィルムを製造する方法であって、前記フィルムは前記ポリマー成分のどちらか一方から形成されたフィルムよりも高いＷＶＴＲを有し、前記方法は、ａ）半結晶性の第１のポリマー成分と第２のポリマー成分とのブレンドから、前記第１のポリマー成分が連続相であるブレンドを製造するのに十分な量と条件において、フィルムを形成する工程、及び
ｂ）前記フィルムを、前記軟質ポリマー成分の結晶度の１００％未満の溶融を生じさせるのに十分な温度において、前記第１のポリマーと第２のポリマーの間の界面の少なくとも一部の分離を生じさせるのに十分な延伸された寸法まで、延伸する工程、を含み、
前記第１のポリマー成分が、
ｉ）各々が４９乃至９０モル％のプロピレン及び挿入重合可能なプロピレン以外の少なくとも１種のＣ２至Ｃ３０オレフィン系モノマーを含む１種以上の熱可塑性コポリマーであって、２５℃以上の融点、１．５乃至４．０のＭＷＤ、５乃至４０重量％の結晶度、及び１００ＭＰａ未満の（ＡＳＴＭ  Ｄ−７９０で測定される）曲げ弾性率を有する、１種以上の熱可塑性コポリマー、
ｉｉ）各々が８４乃至９８モル％のエチレン及び挿入重合可能な少なくとも１種のＣ３乃至Ｃ３０オレフィン系モノマーを含む１種以上の熱可塑性コポリマーであって、２５℃以上の融点、１．５乃至４．０のＭＷＤ、狭い組成分布、及び１００ＭＰａ未満の（ＡＳＴＭ  Ｄ−７９０で測定される）曲げ弾性率を有する、１種以上の熱可塑性コポリマー、及び
ｉｉｉ）ｉ）とｉｉ）のブレンド、から選択され、
そして前記第２のポリマー成分が、２００ＭＰａより大きい（ＡＳＴＭ  Ｄ−７９０で測定される）曲げ弾性率を有するポリスチレンポリマーである、方法。
【請求項１４】
前記オレフィン系モノマーがエチレン及びα−オレフィンから選択される１種以上である、請求項１３の方法。
【請求項１５】
ａ）２５℃より高い融点及び１００ＭＰａ未満の（ＡＳＴＭ  Ｄ−７９０で測定される）曲げ弾性率を有する、主要割合のオレフィン系モノマーと小割合のオレフィン系モノマーとの半結晶性コポリマー成分であって、前記主要割合のオレフィン系モノマーはプロピレンであり、そして前記小割合のオレフィン系モノマーはエチレン及び挿入重合可能なＣ４乃至Ｃ２０α−オレフィン、及びそれらの組み合わせから選択される１種以上である、半結晶性コポリマー成分、及び
ｂ）０．９３以上の密度及び２００ＭＰａより大きい（ＡＳＴＭ  Ｄ−７９０で測定される）曲げ弾性率を有するポリエチレンホモポリマー成分又はポリエチレンコポリマー成分、のブレンドを含む冷延伸フィルムであって、
前記半結晶性コポリマーは前記フィルム中に連続相として存在し、そして前記フィルムは１６０ＭＰａ未満の（ＡＳＴＭ  Ｄ−１７０８で測定される）引張弾性率を有する、冷延伸フィルム。
【請求項１６】
前記半結晶性コポリマーが１．５乃至４．０のＭＷＤ及び狭い組成分布を有する、請求項１５のフィルム。
【請求項１７】
前記主要割合のオレフィン系モノマーは、前記半結晶性コポリマー中に４９モル％以上かつ９０モル％以下の量で存在する、請求項１５のフィルム。
【請求項１８】
前記半結晶性コポリマーは、５乃至４０重量％の結晶度を含む、請求項１５のフィルム。
【請求項１９】
前記小割合のオレフィン系モノマーがエチレンである。請求項１５のフィルム。
【請求項２０】
ブレンド成分の総重量に基づいて３０乃至９０重量％の前記コポリマー成分及び７０乃至１０重量％の前記ポリエチレン成分を含む、請求項１５のフィルム。
【請求項２１】
染料、顔料、充填剤、ワックス、可塑剤、酸化防止剤、熱安定剤、光安定剤、粘着防止剤、加工助剤、及びそれらの組み合わせから成る群から選択される１種以上の添加剤をさらに含む、請求項１５のフィルム。
【請求項２２】
前記フィルムが実質的に充填剤を含まず、そしてどちらか一方の成分単独からのフィルムよりも大きい透湿度を有する、請求項１５のフィルム。
【請求項２３】
ａ）２５℃より高い融点及び３５０ＭＰａ未満の（ＡＳＴＭ  Ｄ−７９０で測定される）割線モジュラスを有する、主要割合のオレフィン系モノマーと小割合のオレフィン系モノマーとの半結晶性コポリマー成分であって、前記主要割合のオレフィン系モノマーはエチレン又はプロピレンであり、そして前記小割合のオレフィン系モノマーは前記主要割合のオレフィン系モノマーとは異なり、そして挿入重合可能な、線状、分岐した、又は環含有のＣ２乃至Ｃ３０オレフィン、及びそれらの組み合わせから成る群から選択される、半結晶性コポリマー成分、及び
ｂ）４００ＭＰａより大きい（ＡＳＴＭ  Ｄ−７９０で測定される）曲げ弾性率を有するポリスチレン成分、のブレンドを含む冷延伸フィルムであって、
前記コポリマーは前記フィルム中に連続相として存在し、そして前記フィルムが３７５ＭＰａ未満の（ＡＳＴＭ  Ｄ−１７０８で測定される）引張弾性率を有する、冷延伸フィルム。
【請求項２４】
前記主要割合のオレフィン系モノマーはエチレンであり、そして前記コポリマー中に８４モル％以上かつ９８モル％以下の量で存在する、請求項２３のフィルム。
【請求項２５】
前記コポリマーが１．５乃至４．０のＭＷＤ及び狭い組成分布を有する、請求項２３のフィルム。
【請求項２６】
ブレンド成分の総重量に基づいて３０乃至９０重量％の前記コポリマー成分及び７０乃至１０重量％の前記ポリスチレン成分を含む、請求項２２のフィルム。
【請求項２７】
染料、顔料、充填剤、ワックス、可塑剤、酸化防止剤、熱安定剤、光安定剤、粘着防止剤、加工助剤、及びそれらの組み合わせから成る群から選択される添加剤をさらに含む、請求項２３のフィルム。
【請求項２８】
前記フィルムが実質的に充填剤を含まず、そしてどちらか一方の成分単独からのフィルムよりも大きい透湿度を有する、請求項２３のフィルム。